(57)【要約】  【課題】  放送時間が延長される可能性がある番組をＥＰＧからキーワードを基に検索することができる記録再生装置において、検索用のキーワードを追加又は変更できる構成とした場合、キーワードの有効性をユーザが確認することができる記録再生装置を提供する。  【解決手段】  記録予約の終了時刻が延長されて記録された番組をユーザが再生する場合に、延長部分が再生されたか否かにより番組が実際に延長されたか否かを判定する。判定結果から、各キーワードが実際に放送時間が延長された番組の検索にどの程度用いられているかを、キーワードのヒット率として算出する。キーワードのヒット率からユーザは各キーワードの有効性を判断できる。【選択図】      図１６
2007060291.tif 000002
【特許請求の範囲】
【請求項１】
放送される番組を受信する受信手段と、該受信手段が受信する番組に係る番組情報を取得する手段と、番組の放送時間延長の可能性の有無を判定するためのキーワードを複数記憶する手段と、記憶したキーワードを含む番組を番組情報から検索する検索手段と、前記受信手段が受信した番組を記録する記録手段と、該記録手段による記録時刻を含む番組の記録予約を受け付ける手段と、記録された番組を再生する再生手段とを備える記録再生装置において、
前記検索手段の検索結果に基づいて、記録予約に係る番組の中で、放送時間が変更される可能性がある番組を判定する第１の判定手段と、
該第１の判定手段の判定結果に応じて、記録予約に係る記録時刻を変更する変更手段と、
該変更手段が変更した記録予約に係る番組が、時間を変更されて放送されたか否かを判定する第２の判定手段と、
該第２の判定手段により時間を変更されて放送されたと判定された番組の番組数に対して、前記第１の判定手段が前記番組を判定した際、判定の基準となった前記検索手段の検索結果である番組の番組情報に、各キーワードが該当していた該当数を示すキーワードのヒット率を算出する算出手段と
を備えることを特徴とする記録再生装置。
【請求項２】
記憶するキーワードを受け付けるキーワード受付手段を備える請求項１に記載の記録再生装置。
【請求項３】
前記算出手段の算出結果を表示する処理を行う表示処理手段を備える請求項１又は請求項２に記載の記録再生装置。
【請求項４】
前記表示処理手段は、前記算出手段が算出したヒット率の順に複数のキーワードを並べて表示するようにしてある請求項３に記載の記録再生装置。
【請求項５】
前記表示処理手段は、前記算出手段が算出したヒット率に応じて、キーワードの表示を相違させるようにしてある請求項３又は請求項４に記載の記録再生装置。
【請求項６】
前記第１の判定手段は、記録予約に係る番組が、前記検索手段が検索した番組に含まれている場合、前記記録予約に係る番組を放送時間が変更される可能性がある番組と判定するようにしてある請求項１乃至請求項５のいずれか１つに記載の記録再生装置。
【請求項７】
前記第１の判定手段は、記録予約に係る番組の前の時間帯に放送され、且つ、記録予約に係る番組と同じチャンネルで放送される番組が、前記検索手段が検索した番組に含まれている場合、前記記録予約に係る番組を放送時間が変更される可能性がある番組と判定するようにしてある請求項１乃至請求項６のいずれか１つに記載の記録再生装置。
【請求項８】
前記変更手段は、記録予約に係る終了時刻を所定の時間遅らせるようにしてあり、
前記第２の判定手段は、記録された番組が再生されたときに、前記変更手段が遅らせた部分が再生されたか否かを調べ、再生されていた場合に、番組が延長して放送された又は遅れて放送されたと判定するようにしてある請求項１乃至請求項７のいずれか１つに記載の記録再生装置。
【発明の詳細な説明】
【技術分野】
【０００１】
本発明は、放送される番組を記録媒体に記録し、また、記録媒体に記録された番組を再生する記録再生装置に関する。更には、予め記録の開始時刻及び終了時刻等を設定することで番組の記録を行う予約記録の機能を備えた記録再生装置に関する。
【背景技術】
【０００２】
従来から、テレビ番組の記録を行うビデオデッキ及びハードディスクレコーダ等の記録再生装置は、ユーザが予め記録の開始時刻及び終了時刻を設定しておくことにより、ユーザの留守中にテレビ番組の記録を行うことが可能な予約記録の機能を備えている。また、近年においては、番組と共に送信される電子番組ガイド情報（以下、ＥＰＧ（Ｅｌｅｃｔｒｏｎｉｃ  Ｐｒｏｇｒａｍ  Ｇｕｉｄｅ）という）を用いて番組表を表示し、番組表から記録を行いたい番組を選択することで記録の予約を行うことができる記録再生装置が実用化されている。
【０００３】
また、特許文献１においては、ユーザが入力したキーワードを含む番組をＥＰＧから検索し、検索された番組を自動的に記録することができる番組検索装置が提案されている。これにより、例えばユーザがキーワードとして「サッカー」を入力した場合には、サッカー中継が全て自動的に記録されるため、ユーザが番組毎に予約を行う必要がなく、所望の番組を見逃す虞が少なくなるという利点がある。
【０００４】
しかし、野球又はサッカー等のスポーツ番組は、予定時間内に試合が終了せず、番組の放送時間が延長される可能性がある。放送時間が延長された場合であっても、予約記録は設定された終了時刻に記録を終了するため、スポーツ番組を最後まで記録できないという問題がある。また、番組自体が延長されることはないドラマ及び映画等の番組であっても、スポーツ番組の後に放送される場合には、番組の開始時刻及び終了時刻が遅れるため、番組を最後まで記録できないという問題がある。
【０００５】
デジタル放送では、番組の延長が発生した場合、ＥＰＧが自動的に更新されるため、更新されたＥＰＧを受信した記録再生装置が、記録予約の開始時刻及び終了時刻を変更して番組の記録を行うことができる。しかし、アナログ放送の場合には、番組の延長が発生した場合であっても、ＥＰＧは更新されない。よって、アナログ放送の番組を記録する記録再生装置は、番組の延長を判断することができないため、自動的に記録予約を変更できず、ユーザが、延長の可能性を考慮して、記録予約の終了時刻を遅らせて設定することで対処していた。
【０００６】
特許文献２においては、放送時間の延長の可能性の有無を表すキーワード、例えば「最大延長」を含む番組をＥＰＧから検索し、このキーワードに付随する最大延長時刻を表す時間情報を読み取り、読み取った時間情報に応じて記録予約の終了時刻を変更する録画再生装置が提案されている。これにより、放送時間が延長される可能性がある番組、又は放送の開始時刻及び終了時刻が遅れる可能性がある番組を最後まで記録できる。
【特許文献１】特開２００２−２５２８１３号公報
【特許文献２】特開２００４−２８９５６５号公報
【発明の開示】
【発明が解決しようとする課題】
【０００７】
特許文献２に記載の録画再生装置は、延長される可能性がある番組をＥＰＧから検索する場合に用いるキーワードは、装置にて予め決められたキーワードを用いるものであった。しかし、このキーワードは、延長される可能性がある番組を必ず検索できるというものではなく、例えば延長される可能性がある野球放送は検索できるが、サッカー放送又はバレーボール放送等の他の放送は検索できないという虞がある。
【０００８】
検索に用いるキーワードが固定であるため、このキーワードで検索できない番組がＥＰＧに含まれている場合には、同じ番組が以後繰り返し放送されたとしても、記録再生装置がこの番組を検索することは不可能となる。キーワードを追加又は変更することにより、この番組を検索することができる可能性があるため、記録再生装置が記憶しているキーワードを追加又は変更できる構成とすることが考えられるが、この場合、特にキーワードを変更した場合には、キーワードの変更前に検索できていた番組が変更後に検索できなくなる虞がある。
【０００９】
本発明は、斯かる事情に鑑みてなされたものであって、その目的とするところは、放送時間が延長される可能性がある番組をＥＰＧから検索するためのキーワードが、実際に延長して放送された番組をどの程度の確率で検索できているかを示す、各キーワードのヒット率を算出する構成とすることにより、キーワードのヒット率を基にしてキーワードの追加又は変更を行い、放送時間が延長される番組をより確実に検索することができる記録再生装置を提供することにある。
【００１０】
また本発明の他の目的とするところは、ユーザからのキーワードの入力を受け付ける手段を備える構成とすることにより、ユーザがキーワードの追加又は変更を行うことができる記録再生装置を提供することにある。
【００１１】
また本発明の他の目的とするところは、キーワードのヒット率を表示してユーザに知らせる構成とすることにより、ユーザがキーワードの追加又は変更を行う場合に、キーワードのヒット率を確認することができる記録再生装置を提供することにある。
【００１２】
また本発明の他の目的とするところは、キーワードのヒット率の表示を行う場合に、複数のキーワードをヒット率に応じて並べ替えて表示する構成とすることにより、ユーザが各キーワード毎のヒット率を確認しやすい記録再生装置を提供することにある。
【００１３】
また本発明の他の目的とするところは、キーワードのヒット率の表示を行う場合に、ヒット率に応じてキーワードの表示を相違させる、例えば表示色を別にする又は表示の濃淡に差を設ける等を行う構成とすることにより、ユーザが各キーワード毎のヒット率を確認しやすい記録再生装置を提供することにある。
【００１４】
また本発明の他の目的とするところは、検索用のキーワードが含まれている番組を放送時間が延長される可能性がある番組と判定し、この番組の記録予約の時刻を変更する構成とすることにより、野球放送又はサッカー放送等の放送時間が延長される可能性がある番組を確実に記録することができる記録再生装置を提供することにある。
【００１５】
また本発明の他の目的とするところは、同じチャンネルで前の時間帯に放送される番組に検索用のキーワードが含まれている番組を放送時間が変更される可能性がある番組と判定し、この番組の記録予約の時刻を変更する構成とすることにより、野球放送又はサッカー放送等の後に放送される番組を確実に記録することができる記録再生装置を提供することにある。
【００１６】
また本発明の他の目的とするところは、記録予約の終了時刻を遅らせて番組の記録を行った後、記録した番組がユーザにより再生された場合に、終了時刻を遅らせた部分が再生されたか否かによって、番組が実際に延長されたか否かを判定する構成とすることにより、記録予約の時刻を変更した番組が実際に延長されたか否かを判定することができ、この番組を検索したキーワードのヒット率を算出することができる記録再生装置を提供することにある。
【課題を解決するための手段】
【００１７】
本発明に係る記録再生装置は、放送される番組を受信する受信手段と、該受信手段が受信する番組に係る番組情報を取得する手段と、番組の放送時間延長の可能性の有無を判定するためのキーワードを複数記憶する手段と、記憶したキーワードを含む番組を番組情報から検索する検索手段と、前記受信手段が受信した番組を記録する記録手段と、該記録手段による記録時刻を含む番組の記録予約を受け付ける手段と、記録された番組を再生する再生手段とを備える記録再生装置において、前記検索手段の検索結果に基づいて、記録予約に係る番組の中で、放送時間が変更される可能性がある番組を判定する第１の判定手段と、該第１の判定手段の判定結果に応じて、記録予約に係る記録時刻を変更する変更手段と、該変更手段が変更した記録予約に係る番組が、時間を変更されて放送されたか否かを判定する第２の判定手段と、該第２の判定手段により時間を変更されて放送されたと判定された番組の番組数に対して、前記第１の判定手段が前記番組を判定した際、判定の基準となった前記検索手段の検索結果である番組の番組情報に、各キーワードが該当していた該当数を示すキーワードのヒット率を算出する算出手段とを備えることを特徴とする。
【００１８】
本発明においては、予め登録されたキーワードを用いて、ＥＰＧから放送時間が延長される可能性がある番組を検索する。予約記録を行う番組が放送時間が延長される可能性がある番組又は延長された番組の影響で遅れて放送される可能性がある番組である場合には、記録予約の記録時刻の変更を行う。これにより、放送時間が変更された場合であっても、番組を最後まで記録することができる。また、実際に放送時間が変更された番組を放送時間が変更される可能性がある番組であると検索して判定した際に、検索に該当した各キーワードの該当数が、実際に放送時間が変更された番組の番組数に占める割合を、各キーワードのヒット率として算出する。これにより、登録されているキーワードの有効性を判断できる。
【００１９】
また、本発明に係る記録再生装置は、記憶するキーワードを受け付けるキーワード受付手段を備えることを特徴とする。
【００２０】
本発明においては、ユーザからのキーワードの入力を受け付け、受け付けたキーワードを登録し、放送時間が延長される可能性がある番組をＥＰＧから検索する場合に、登録されたキーワードを用いる。ユーザは、番組の放送状況又はＥＰＧの内容等に応じて、キーワードの追加又は変更を行うことができる。
【００２１】
また、本発明に係る記録再生装置は、前記算出手段の算出結果を表示する処理を行う表示処理手段を備えることを特徴とする。
【００２２】
本発明においては、各キーワードのヒット率を表示する。これにより、ユーザがキーワードの追加又は変更を行う場合に、キーワードのヒット率を確認しながら、追加又は変更を行うことができる。
【００２３】
また、本発明に係る記録再生装置は、前記表示処理手段が、前記算出手段が算出したヒット率の順に複数のキーワードを並べて表示するようにしてあることを特徴とする。
【００２４】
本発明においては、キーワードのヒット率の表示を行う場合に、複数のキーワードをヒット率の大きい順又は小さい順等に並べ替えて表示する。これにより、各キーワードの有効性をユーザが確認しやすくできる。
【００２５】
また、本発明に係る記録再生装置は、前記表示処理手段が、前記算出手段が算出したヒット率に応じて、キーワードの表示を相違させるようにしてあることを特徴とする。
【００２６】
本発明においては、キーワードのヒット率の表示を行う場合に、ヒット率に応じて表示色を別にする又は表示の濃淡に差を設ける等を行うことにより、各キーワードの有効性をユーザが確認しやすくできる。
【００２７】
また、本発明に係る記録再生装置は、前記第１の判定手段が、記録予約に係る番組が前記検索手段が検索した番組に含まれている場合、前記記録予約に係る番組を放送時間が変更される可能性がある番組と判定するようにしてあることを特徴とする。
【００２８】
本発明においては、検索用のキーワードが含まれている番組を放送時間が延長される可能性がある番組と判定する。これにより、野球放送又はサッカー放送等の放送時間が延長される可能性がある番組の記録予約の時刻を変更できる。
【００２９】
また、本発明に係る記録再生装置は、前記第１の判定手段が、記録予約に係る番組の前の時間帯に放送され、且つ、記録予約に係る番組と同じチャンネルで放送される番組が、前記検索手段が検索した番組に含まれている場合、前記記録予約に係る番組を放送時間が変更される可能性がある番組と判定するようにしてあることを特徴とする。
【００３０】
本発明においては、同じチャンネルで前の時間帯に放送される番組に検索用のキーワードが含まれている番組を放送時間が変更される可能性がある番組と判定する。これにより、野球放送又はサッカー放送等の後に放送される番組の記録予約の時刻を変更できる。
【００３１】
また、本発明に係る記録再生装置は、前記変更手段が、記録予約に係る終了時刻を所定の時間遅らせるようにしてあり、前記第２の判定手段は、記録された番組が再生されたときに、前記変更手段が遅らせた部分が再生されたか否かを調べ、再生されていた場合に、番組が延長して放送された又は遅れて放送されたと判定するようにしてあることを特徴とする。
【００３２】
本発明においては、記録予約の終了時刻を遅らせて番組の記録を行った後、記録した番組がユーザにより再生された場合に、終了時刻を遅らせた部分が再生されたか否かによって、番組が実際に延長されたか否かを判定する。これにより、各キーワードの実際に放送時間が延長された番組を検索する場合の有効性をヒット率として算出することができる。
【発明の効果】
【００３３】
本発明による場合は、実際に放送時間が変更された番組を放送時間が変更される可能性がある番組であると検索して判定した際に、検索に該当したキーワードの該当数が、実際に放送時間が変更された番組の番組数に占める割合を、キーワードのヒット率として算出する構成とすることにより、キーワードのヒット率を基にしてキーワードの追加又は変更を行うことができる。よって、番組の放送状況又はＥＰＧの内容等に応じて、より検索効率の高いキーワードを用いることができるため、番組の放送時間が変更された場合に、より確実に番組を最後まで記録することができる。
【００３４】
また、本発明による場合は、ユーザからのキーワードの入力を受け付け、検索に用いるキーワードの追加又は変更を行う構成とすることにより、番組の放送状況又はＥＰＧの内容等に応じたキーワードで検索を行うことができるため、より確実に放送時間が変更された番組を最後まで記録することができる。
【００３５】
また、本発明による場合は、キーワードのヒット率を表示してユーザに知らせる構成とすることにより、ユーザがキーワードの追加又は変更を行う場合に、キーワードのヒット率を確認することができるため、キーワードの追加又は変更が行いやすく、また、より検索効率の高いキーワードの設定を行うことができる。
【００３６】
また、本発明による場合は、キーワードのヒット率の表示を行う場合に、複数のキーワードをヒット率の大きい順又は小さい順等に並べ替えて表示することにより、ユーザが各キーワード毎のヒット率を確認しやすく、また、各キーワードの有効性を判断しやすくできる。
【００３７】
また、本発明による場合は、キーワードのヒット率の表示を行う場合に、ヒット率に応じて表示色を別にする又は表示の濃淡に差を設ける等を行うことにより、ユーザが各キーワード毎のヒット率を確認しやすく、また、各キーワードの有効性を判断しやすくできる。
【００３８】
また、本発明による場合は、検索用のキーワードが含まれている番組を放送時間が延長される可能性がある番組と判定することにより、野球放送又はサッカー放送等の放送時間が延長される可能性がある番組の記録予約の時刻を変更することができるため、番組を確実に記録することができる。
【００３９】
また、本発明による場合は、同じチャンネルで前の時間帯に放送される番組に検索用のキーワードが含まれている番組を放送時間が変更される可能性がある番組と判定することにより、野球放送又はサッカー放送等の後に放送される番組の記録予約の時刻を変更することができるため、番組を確実に記録することができる。
【００４０】
また、本発明による場合は、記録予約の終了時刻を遅らせて番組の記録を行った後、記録した番組がユーザにより再生された場合に、終了時刻を遅らせた部分が再生されたか否かによって、番組が実際に延長されたか否かを判定することにより、各キーワードが実際に放送時間が延長された番組を検索する有効性をヒット率として算出することができるため、ヒット率を基にしてより有効なキーワードを追加又は変更することができ、より確実に放送時間が変更された番組を最後まで記録することができる。
【発明を実施するための最良の形態】
【００４１】
以下、本発明をその実施の形態を示す図面に基づき具体的に説明する。図１は、本発明に係るハードディスクレコーダのハードウェア構成を示すブロック図である。図において１はハードディスクレコーダであり、ハードディスクレコーダ１には図示しないケーブルを介してＣＲＴディスプレイ又は液晶ディスプレイ等の外部の表示装置５１が接続される。ハードディスクレコーダ１は、内部のハードディスク１９に記録された番組又はチューナ１１により受信された番組を、映像及び音声の出力端子を有する出力部１５から表示装置５１へ出力し、表示装置５１に番組を表示する。また、ハードディスクレコーダ１は、ユーザが遠隔操作を行うためのリモコン（リモートコントローラ）５２を備えている。
【００４２】
ハードディスクレコーダ１が備えるチューナ１１は、地上波アナログ放送を受信するチューナである。チューナ１１が受信したアナログの番組信号は、Ａ／Ｄ変換部１３へ与えられ、Ａ／Ｄ変換部１３にてデジタルの番組データに変換される。更に、Ａ／Ｄ変換部１３にて変換された番組データはエンコーダ１４へ与えられる。エンコーダ１４は、与えられた番組データをＭＰＥＧ２方式のデータに圧縮するものであり、圧縮された番組データは制御部１０へ与えられる。
【００４３】
制御部１０は、ハードディスクレコーダ１の各部の動作を制御しており、番組の記録を行う場合には、エンコーダ１４から与えられた番組データをハードディスクコントローラ２０へ与えて、ハードディスク１９への記録を行う。また、ハードディスク１９に記録された番組の再生を行う場合には、制御部１０は、ハードディスクコントローラ２０を介してハードディスク１９から圧縮された番組データを読み出す。
【００４４】
ハードディスク１９から読み出された番組データはデコーダ１８へ与えられ、デコーダ１８にて伸張されてＤ／Ａ変換部１７へ与えられる。Ｄ／Ａ変換部１７は、与えられたデジタルの番組データをアナログの番組信号に変換し、選択部１６へ与える。選択部１６には、Ｄ／Ａ変換部１７が変換した番組信号及びチューナ１１が受信した番組信号が与えられ、更に、制御部１０からメニュー及び記録予約確認画面等の表示命令が与えられる。
【００４５】
ハードディスク１９に記録された番組を表示装置５１に表示する場合、選択部１６は、Ｄ／Ａ変換部１７からの番組信号を出力部１５へ与える。放送されている番組をリアルタイムで表示装置５１に表示する場合は、選択部１６は、チューナ１１からの番組信号を出力部１５へ与える。また、選択部１６は、制御部１０からメニュー又は記録予約確認画面等の表示命令が与えられた場合は、番組信号を出力部１５へ与えず、予め用意されたメニュー又は記録予約確認画面等の画像信号を出力部１５へ与える。出力部１５には、映像出力及び音声出力用の出力端子が備えられており、選択部１６から与えられた番組信号は出力端子に接続された表示装置５１へ与えられ、表示装置５１に表示される。
【００４６】
チューナ１１が受信する番組信号には、放送される番組の番組名、放送時刻、ジャンル、出演者及び内容説明等の情報を有するＥＰＧが重畳されており、ＥＰＧ取得部１２によりチューナ１１が受信した番組信号からＥＰＧが分離されて、制御部１０へ与えられる。制御部１０は、与えられたＥＰＧをメモリ２１に記憶する。また、制御部１０は、番組表を表示装置５１に表示する場合には、メモリ２１からＥＰＧを読み出して番組表を作成し、選択部１６へ番組表の表示命令と共に与える。番組表及び表示命令を与えられた選択部１６は、番組表を出力部１５へ与えて、表示装置５１に番組表を表示する。
【００４７】
メモリ２１には、前述のＥＰＧを記憶するＥＰＧ記憶部２１ａと、記録チャンネル、記録開始時刻、記録終了時刻及び記録画質等の情報を含む記録予約を記憶する記録予約記憶部２１ｂと、放送時間が延長される可能性がある番組を検索するためのキーワードを記憶するキーワード記憶部２１ｃと、キーワードのヒット率を算出するための延長された番組に関する情報を記憶する延長情報記憶部２１ｄとが設けられている。メモリ２１は、フラッシュメモリ又はＥＥＰＲＯＭ等の不揮発性の書き換え可能なメモリ素子で構成されている。
【００４８】
また、ハードディスクレコーダ１には、操作部２２及び赤外線受光部２３が備えられている。操作部２２には、録画、再生、選局及び設定メニュー表示等の複数のボタンが設けられており、ユーザからの操作を受け付けて、制御部１０へユーザからの操作要求を与えるようにしてある。リモコン５２には、操作部２２と同様に、操作を受け付けるための複数のボタンが設けられており、ユーザからの操作要求を赤外線信号に変換して図示しない赤外線発光部から送信する。赤外線受光部２３は、リモコン５２から送信される赤外線信号を電気信号の操作要求に変換して制御部１０へ与えるものである。
【００４９】
ハードディスクレコーダ１では、ユーザからの操作要求に応じて、番組の記録及び再生等を行うことができ、また、記録時刻及びチャンネル等の記録予約を設定して番組の記録を行うことができる。記録予約の設定を行う場合には、取得したＥＰＧから番組表を表示し、番組表からユーザが番組を選択することで行うことができ、番組の記録時刻及びチャンネル等を入力せずに記録予約の設定を行うことができる。
【００５０】
また、ハードディスクレコーダ１は、野球又はサッカー等のような放送時間が延長される可能性がある番組を、取得したＥＰＧから検索する機能を有している。これにより、ユーザが設定した記録予約に関する番組が、野球若しくはサッカー等である場合、又は野球若しくはサッカー等の後に放送されるドラマ又は映画等である場合、放送時間が変更される可能性があると判定することができ、ユーザに対して記録予約の終了時刻の変更を促すことができる。
【００５１】
ハードディスクレコーダ１は、ＥＰＧから放送時間が延長される可能性がある番組を検索する場合に、予め設定された検索用のキーワードを番組情報に含む番組をＥＰＧから検索することで行っている。検索用のキーワードはメモリ２１のキーワード記憶部２１ｃに複数記憶されており、ユーザが操作部２２又はリモコン５２を操作することにより、追加又は変更することができるようにしてある。また、追加又は変更したキーワードの有効性をユーザが判断できるように、各キーワードのヒット率を表示することができる。
【００５２】
ここでのヒット率は、放送時間が変更される可能性があると判定された番組の中で、実際に放送時間が変更された番組の番組数に対して、これらの番組の判定を行う場合に、キーワードにより検索され、判定に寄与した番組（記録予約の番組が野球又はサッカー等である場合には、判定に寄与した番組はこの番組自身であり、記録予約の番組がドラマ又は映画等である場合には、判定に寄与した番組はドラマ又は映画等の前の時間帯に放送された野球又はサッカー等の番組である）の番組情報に各キーワードが該当していた数を示すものである。
【００５３】
表１及び表２に、各キーワードのヒット率の算出例を示す。検索用のキーワードが３つ（”Ａ”、”Ｂ”、”Ｃ”）キーワード記憶部２１ｃに記憶されている。これらのキーワードから放送時間が変更される可能性があると判定され、記録予約の終了時刻を遅らせて記録した番組が５つ（番組１〜５）ある。各番組の判定に寄与したキーワードが表１に示すとおりであり、これらの番組の中で実際に放送時間が変更された番組が番組２、３、４である。
【００５４】
【表１】
2007060291.tif 000003
【００５５】
このとき、実際に放送時間が変更された番組にキーワード”Ａ”が該当した回数（ヒット回数）は１回であり、キーワード”Ｂ”のヒット回数は３回であり、キーワード”Ｃ”のヒット回数は１回である。実際に放送時間が変更された番組の数は３つであるため、キーワード”Ａ”のヒット率は１／３＝３３％となり、キーワード”Ｂ”のヒット率は３／３＝１００％となり、キーワード”Ｃ”のヒット率は１／３＝３３％となる。
【００５６】
【表２】
2007060291.tif 000004
【００５７】
以上の算出結果から、キーワード”Ｂ”がヒット率が高いため、実際に放送時間が変更された番組を最も効率よく検索することができることがわかる。キーワードの追加及び変更処理、記録予約の終了時刻の変更処理並びに各キーワードのヒット率の算出処理等の詳細は後述する。
【００５８】
図２は、本発明に係るハードディスクレコーダ１のキーワード設定を行う場合に制御部１０が行う処理を示すフローチャートである。キーワードの設定は、操作部２２又はリモコン５２に設けられた図示しない「設定メニュー」ボタンを押下し、表示装置５１に表示されたメニューからキーワード設定の項目を選択することで行うことができる。制御部１０は、キーワード設定の項目が選択されたか否かを調べ（ステップＳ１）、選択されていない場合は（Ｓ１：ＮＯ）、選択されるまで待機する。
【００５９】
キーワード設定の項目が選択された場合（Ｓ１：ＹＥＳ）、メモリ２１のキーワード記憶部２１ｃから既に登録されているキーワードを読み出す（ステップＳ２）。次いで、読み出したキーワード及びキーワード設定画面の表示命令を選択部１６へ与え、キーワード設定画面を出力部１５を介して表示装置５１に表示する（ステップＳ３）。
【００６０】
図３及び図４は、本発明に係るハードディスクレコーダ１が表示するキーワード設定画面の表示例である。本実施の形態のハードディスクレコーダ１は、５つのキーワードをキーワード記憶部２１ｃに記憶し、放送時間が変更される可能性がある番組をＥＰＧから検索することができる。
【００６１】
図３に示すキーワード設定画面では、画面の最上部に画面のタイトル及び日時が表示され、この下に、キーワード設定画面に関する情報が２〜３行の文字列で簡単に説明されている。説明の文字列の下には、６つの長方形状のボックスが上下に並べて配されており、ボックスの周囲を囲む長方形状のカーソル３１を操作部２２又はリモコン５２に設けられたカーソルキーによって上下動させ、「決定」ボタンを押下することで、６つのボックスのうちの１つを選択できるようにしてある。上から５つのボックスは、キーワード１〜５に対応するものであり、最も下のボックスは設定終了に対応するものである。キーワード１〜５に対応するボックスには、既に設定されているキーワードが表示されており、図３ではキーワード１に”延長”が設定され、キーワード２に”野球”が設定され、キーワード３に”繰り下げ”が設定されている。キーワード４及び５には、キーワードは設定されていない。また、「戻る」ボタンを押下することで前の画面、即ちキーワード設定の項目を有する設定メニューが表示された画面（図示は省略する）に戻ることができる。更に、「終了」ボタンを押下する、又は設定終了のボックスを選択することにより、キーワード設定を終了して番組の表示画面に戻ることができる。
【００６２】
キーワード１〜５のボックスが選択された場合、図４に示すように、キーワード選択画面に入力ウインドウ３２が表示され、キーワードの文字入力を行うことができる。入力ウインドウ３２では、ひらがな、カタカナ、英数及び記号の入力を行うことができ、操作部２２又はリモコン５２に設けられた「青」ボタン及び「緑」ボタンを用いることで、漢字変換を行うことができる。「黄」ボタンが押下された場合は、キーワードの文字入力を終了し、入力ウインドウ３２を非表示にして、キーワード設定画面に戻る。
【００６３】
図２に示すフローチャートのステップＳ３にてキーワード設定画面の表示を行った後、制御部１０は、キーワード設定画面の設定終了のボックスが選択されるか又は「終了」ボタンが押下されるかによって、キーワードの設定が終了したか否かを調べる（ステップＳ４）。設定が終了していない場合（Ｓ４：ＮＯ）、ステップＳ３へ戻って設定が終了するまでキーワード設定画面を表示する。キーワードの設定が終了した場合（Ｓ４：ＹＥＳ）、設定された５つのキーワードをメモリ２１のキーワード記憶部２１ｃに記憶して（ステップＳ５）、処理を終了する。
【００６４】
図５及び図６は、本発明に係るハードディスクレコーダ１の記録予約の設定を行う場合に制御部１０が行う処理を示すフローチャートである。記録予約の設定は、操作部２２又はリモコン５２に設けられた「設定メニュー」ボタンを押下し、表示装置５１に表示されたメニューから予約設定の項目を選択することで行うことができる。制御部１０は、予約設定の項目が選択されたか否かを調べ（ステップＳ１１）、選択されていない場合は（Ｓ１１：ＮＯ）、選択されるまで待機する。
【００６５】
予約設定の項目が選択された場合（Ｓ１１：ＹＥＳ）、メモリ２１のＥＰＧ記憶部２１ａからＥＰＧの読み出しを行う（ステップＳ１２）。なお、ＥＰＧは、一日に数回から数十回程度、決められた時刻に受信することができる。ハードディスクレコーダ１は、決められた時刻に、ＥＰＧ取得部１２によりチューナ１１が受信した番組信号からＥＰＧを分離して取得し、取得したＥＰＧを予めＥＰＧ記憶部２１ａに記憶している。ステップＳ１２にてＥＰＧの読み出しを行った後、ＥＰＧから番組表を作成し、番組表の表示命令を選択部１６へ与えて、表示装置５１に番組表の表示を行う（ステップＳ１３）。
【００６６】
図７は、本発明に係るハードディスクレコーダ１が表示する番組表の表示例である。この表示例では、午後９時から１０時の間に放送される番組の一覧を表示したものである。番組表では、複数の長方形状のボックスが上下に並べて配されており、各ボックスにチャンネル番号、放送局名及び番組タイトルが表記されている。ボックスの周囲を囲む長方形状のカーソル３３を操作部２２又はリモコン５２に設けられたカーソルキーによって上下動させ、「決定」ボタンを押下することで、複数の番組のうち１つの番組を記録予約を行う番組として選択することができる。また、「戻る」ボタンを押下することで前の画面、即ち予約設定の項目を有する設定メニューが表示された画面に戻ることができる。更に、「青」ボタンを押下することで番組の詳細な情報を表示することができ、「赤」ボタンを押下することで番組の検索を行うことができ、「緑」ボタンを押下することで表示する番組表の日時を選択することができる。
【００６７】
ステップＳ１３にて番組表の表示を行った後、番組表から記録予約を行う番組が選択されたか否かを調べる（ステップＳ１４）。番組が選択されていない場合は（Ｓ１４：ＮＯ）、ステップＳ１３へ戻り、番組表の表示を継続する。番組が選択された場合（Ｓ１４：ＹＥＳ）、キーワード記憶部２１ｃに記憶されたキーワードを用いて、ＥＰＧから放送時間が延長される可能性がある番組を検索する（ステップＳ１５）。このとき行う検索の検索対象は、記録予約に係る番組と、この番組より前の時間帯に放送され、且つ、同じチャンネルにて放送される番組とである。
【００６８】
次いで、放送時間が延長される可能性があると検索された番組が、記録予約に係る番組と一致するか否かを調べる（ステップＳ１６）。一致した場合には（Ｓ１６：ＹＥＳ）、ユーザが記録予約の終了時刻を延長するための、延長設定画面の表示命令を選択部１６へ与え、延長設定画面の表示を行う（ステップＳ１７）。なお、ステップＳ１６にて一致する場合とは、記録予約に係る番組が野球又はサッカー等の番組の場合であり、記録予約の番組自身が延長される場合である。
【００６９】
図８は、本発明に係るハードディスクレコーダ１が表示する延長設定画面の表示例である。なお、延長設定画面は後述の予約確認画面に延長設定ウインドウ３４を重ねて表示したものである。延長設定ウインドウ３４には、５つの長方形状のボックスが左右に並べて配されている。各ボックスには延長時間が記載されており、左から順に”延長しない”、”３０分延長”、”６０分延長”、”９０分延長”及び”１２０分延長”である。ボックスの周囲を囲む長方形状のカーソル３５を操作部２２又はリモコン５２に設けられたカーソルキーによって左右に移動させ、「決定」ボタンを押下することで、記録予約の終了時刻の延長時間を設定することができる。
【００７０】
ステップＳ１７にて延長設定画面の表示を行った後、設定が終了したか否かを調べる（ステップＳ１８）。設定が終了していない場合（Ｓ１８：ＮＯ）、ステップＳ１７へ戻って延長設定画面の表示を継続する。延長時間の設定が終了した場合（Ｓ１８：ＹＥＳ）、記録予約の終了時刻を延長する（ステップＳ１９）。ハードディスクレコーダ１は、記録予約の終了時刻が延長された番組に関する情報が収められた延長番組管理テーブルを、メモリ２１の延長情報記憶部２１ｄに記憶しており、記録予約の終了時刻が延長された場合は、この記録予約に係る番組を延長番組管理テーブルに登録する（ステップＳ２０）。延長番組管理テーブルについては後述する。
【００７１】
ステップＳ１６にて放送時間が延長される可能性があると検索された番組が、記録予約に係る番組と一致しない場合（Ｓ１６：ＮＯ）、及びステップＳ２０にて延長番組管理テーブルに番組の登録を行った後、記録予約に係る番組の前の時間帯に放送される番組と、放送時間が延長される可能性があると検索された番組とが一致するか否かを調べる（ステップＳ２１）。一致する場合（Ｓ２１：ＹＥＳ）、即ち記録予約に係る番組が野球又はサッカー等の番組の後で放送されるドラマ又は映画等である場合、図８に示した延長設定画面を表示する（ステップＳ２２）。
【００７２】
延長設定画面の表示を行った後、設定が終了したか否かを調べ（ステップＳ２３）、設定が終了していない場合（Ｓ２３：ＮＯ）、ステップＳ２２へ戻って延長設定画面の表示を継続する。延長時間の設定が終了した場合（Ｓ２３：ＹＥＳ）、記録予約の終了時刻を延長し（ステップＳ２４）、記録予約に係る番組を延長番組管理テーブルに登録する（ステップＳ２５）。
【００７３】
図９は、本発明に係る延長番組管理テーブルの構成を示す模式図である。延長番組管理テーブルは、延長して予約された番組に関して、放送されたチャンネル、番組のタイトル、録画された日付、録画時間、録画時間中の延長部分の開始時刻、延長部分の終了時刻、録画された番組が再生されたか否かを示す再生フラグ、番組が実際に延長されたか否かを示す延長フラグ、並びにステップＳ１６及びＳ２１にて記録予約に係る番組又はこの番組の前の時間帯に放送される番組と一致すると判定された番組を、延長される可能性があると検索したキーワードの項目が設けられている。
【００７４】
例えば、６チャンネルで１２月２５日に放送される又は放送されたドラマ１は、終了時刻が３０分延長されており、本来の放送時間は１時間であるが、録画時間が１時間３０分に延長され、このうち延長部分が１：０１〜１：３０である。この番組が放送される前の時間帯には、野球番組の放送が行われており、ステップＳ１５にて”野球”及び”延長”の２つのキーワードによりこの野球番組が延長の可能性がある番組として検索され、ステップＳ２１にてドラマ１の放送時間が変更される可能性があると判断されるためである。再生フラグ及び延長フラグについては後述するが、再生フラグが”１”の場合、録画された番組がユーザにより再生されたことを示しており、延長フラグが”１”の場合、番組が実際に延長されて放送されたことを示している。記録予約の設定を行った段階では再生フラグ及び延長フラグは共に”０”である。
【００７５】
ステップＳ２１にて記録予約に係る番組の前の時間帯に放送される番組と、放送時間が延長される可能性があると検索された番組とが一致しない場合（Ｓ２１：ＮＯ）、及びステップＳ２５にて延長番組管理テーブルに番組の登録を行った後、予約確認画面の表示命令を選択部１６へ与え、予約確認画面の表示を行う（ステップＳ２６）。
【００７６】
図１０は、本発明に係るハードディスクレコーダ１が表示する予約確認画面の表示例である。予約確認画面では、ＥＰＧから選択した番組に関して、番組の録画日、録画開始時刻、録画終了時刻、放送されるチャンネル、録画する場合の画質及び終了時刻の延長時間が表示される。また、ハードディスク１９に録画可能な残りの時間及び記録予約された番組の記録時間等が合わせて表示される。例えば、図１０は、１２月２５日の午後９時から１０時まで６チャンネルで放送される番組を標準画質で録画する設定であり、延長時間が３０分に設定されているため、記録時間は１時間３０分である。
【００７７】
予約確認画面の下部には、２つの長方形状のボックスが左右に並べて配されている。左側のボックスには”完了”の文字が記載され、記録予約の設定を完了するためのものである。右側のボックスには”詳細設定へ”の文字が記載され、記録する画質の変更、開始時刻及び終了時刻の１分単位での詳細な設定、並びに延長時間の詳細な設定等を行う画面（図示は省略する）を表示するためのものである。ボックスの周囲を囲む長方形状のカーソル３６を操作部２２又はリモコン５２に設けられたカーソルキーによって左右に移動させ、「決定」ボタンを押下することで、設定の完了又は詳細設定画面の表示を行うことができる。
【００７８】
ステップＳ２６にて予約確認画面の表示を行った後、予約の設定が完了したか否かを調べる（ステップＳ２７）。予約の設定が完了していない場合は（Ｓ２７：ＮＯ）、ステップＳ２６へ戻って、予約確認画面の表示を継続する。予約の設定が完了した場合（Ｓ２７：ＹＥＳ）、予約内容をメモリ２１の記録予約記憶部２１ｂに記憶して（ステップＳ２８）、処理を終了する。
【００７９】
ハードディスクレコーダ１は、記録予約の終了時刻が延長された番組がハードディスク１９に記録された後、ユーザがハードディスク１９内の番組を再生するときに、番組が実際に延長されたか否かを判定する。図１１は、本発明に係るハードディスクレコーダ１の番組延長判定の方法を説明する説明図である。図１１において、（ａ）は野球番組の予約記録を行った場合の例であり、（ｂ）はドラマ番組の予約記録を行った場合の例である。
【００８０】
（ａ）の例において、野球番組は放送時間が２時間であり、延長の可能性があるため終了時刻を３０分延長して記録予約の設定を行った。実際に野球番組が延長されなかった場合、ハードディスクに記録されている番組の最初から２時間までの部分には野球番組が記録されているが、その後から２時間３０分までの３０分の間には他の番組が記録されている。ユーザは、番組の再生を行う場合に、野球番組の後の延長部分の３０分に記録されている他の番組を再生する可能性は低い。これに対して、実際に野球番組が延長された場合、最初から最後までの２時間３０分の間に野球番組が記録される。ユーザは、番組の再生を行う場合に、延長部分の３０分を再生する可能性は高い。このため、延長部分の３０分がユーザにより再生されたか否かによって、野球番組が実際に延長されたか否かを判定することができる。
【００８１】
（ｂ）の例において、ドラマ番組は放送時間が１時間であり、前に野球番組が放送される。野球番組が延長された場合に放送時間が変更される可能性があるため、終了時刻を３０分延長して記録予約の設定を行った。実際に野球番組が延長されなかった場合、ハードディスクに記録されている番組の最初から１時間までの部分にはドラマ番組が記録されているが、その後から１時間３０分までの３０分の間には他の番組が記録されている。ユーザは、番組の再生を行う場合に、ドラマ番組の後の延長部分の３０分に記録されている他の番組を再生する可能性は低い。これに対して、実際に野球番組が延長された場合、最初から３０分までの間には野球番組が記録され、その後から１時間３０分までの１知時間の間にドラマ番組が記録されている。ユーザは、番組の再生を行う場合に、延長部分の３０分を再生する可能性は高い。このため、延長部分の３０分がユーザにより再生されたか否かによって、野球番組が実際に延長され、ドラマ番組が放送時間を変更されて放送されたか否かを判定することができる。
【００８２】
図１２は、本発明に係るハードディスクレコーダ１の再生処理を行う場合に制御部１０が行う処理を示すフローチャートである。ハードディスク１９に記録された番組の再生は、例えば、記録されている番組のサムネイルによる一覧表示を行い、カーソルキーを用いて所望の番組のサムネイルにカーソルを合わせ、操作部２２又はリモコン５２に設けられた図示しない「再生」ボタンを押下することで行うことができる。制御部１０は、「再生」ボタンが押下されて、ユーザから再生の指示が与えられたか否かを調べ（ステップＳ４１）、再生の指示が与えられていない場合は（Ｓ４１：ＮＯ）、再生の指示が与えられるまで待機する。
【００８３】
再生の指示が与えられた場合（Ｓ４１：ＹＥＳ）、メモリ２１の延長情報記憶部２１ｄに記憶されている延長番組管理テーブルの読み出しを行う（ステップＳ４２）。再生を行う番組が延長番組管理テーブルに登録されているか否かを調べて、再生を行う番組が記録の終了時刻を延長された番組であるか否かを調べる（ステップＳ４３）。延長番組管理テーブルに登録されていない場合、再生を行う番組は記録の終了時刻が延長された番組ではないため（Ｓ４３：ＮＯ）、ハードディスク１９から番組を読み出して番組の再生を行う（ステップＳ４４）。その後、操作部２２又はリモコン５２に設けられた「停止」ボタンが押下されて、ユーザから再生の終了指示が与えられたか否かを調べる（ステップＳ４５）。終了指示が与えられていない場合（Ｓ４５：ＮＯ）、ステップＳ４４へ戻り、番組の再生を継続する。終了指示が与えられた場合は（Ｓ４５：ＹＥＳ）、再生を停止して（ステップＳ５３）、処理を終了する。
【００８４】
ステップＳ４３にて、再生を行う番組が延長番組管理テーブルに登録されていた場合、即ち再生を行う番組が記録の終了時刻を延長された番組である場合（Ｓ４３：ＹＥＳ）、延長番組管理テーブルの中の再生フラグの項目を”１”に設定し（ステップＳ４６）、番組の再生を行う（ステップＳ４７）。その後、記録された番組中の延長部分が再生されているか否かを調べ（ステップＳ４８）、延長部分が再生されている場合には（Ｓ４８：ＹＥＳ）、延長番組管理テーブルの中の延長フラグの項目を”１”に設定する（ステップＳ４９）。延長フラグの設定後、及びステップＳ４８にて延長部分が再生されていない場合（Ｓ４８：ＮＯ）、操作部２２又はリモコン５２に設けられた「停止」ボタンが押下されて、ユーザから再生の終了指示が与えられたか否かを調べる（ステップＳ５０）。終了指示が与えられていない場合（Ｓ５０：ＮＯ）、ステップＳ４７へ戻り、番組の再生を継続する。
【００８５】
再生の終了指示が与えられた場合は（Ｓ５０：ＹＥＳ）、更に延長番組管理テーブルの中の延長フラグが”１”に設定されているか否かを調べる（ステップＳ５１）。延長フラグが”１”に設定されている場合は（Ｓ５１：ＹＥＳ）、メモリ２１の延長情報記憶部２１ｄに記憶されたヒット率テーブルの更新処理を行う（ステップＳ５２）。ヒット率テーブル及びヒット率テーブルの更新処理の詳細は後述する。ヒット率テーブルの更新処理後、及びステップＳ５１にて延長判定フラグが”１”に設定されていない場合（Ｓ５１：ＮＯ）、ステップＳ５３へ進み、番組の再生を停止して処理を終了する。
【００８６】
図１３は、本発明に係るハードディスクレコーダのヒット率テーブルの構成を示す模式図である。ヒット率テーブルは、５つのキーワード毎に、実際に延長された番組の検索時にキーワードがヒットした回数を示すヒット回数と、実際に延長された番組の総数を示す延長番組数と、延長番組数に対するキーワードのヒット回数を示すヒット率との項目を有している。
【００８７】
例えば、図１３においては、キーワードとして”延長”、”野球”、”繰り下げ”、”サッカー”及び”バレーボール”の５つのキーワードが登録されている。延長された番組はこれまでに１００番組あり、各キーワードのヒット回数は”延長”が５０回、”野球”が２０回、”繰り下げ”が３０回、”サッカー”が５回、”バレーボール”が１回である。ただし、”バレーボール”は、他のキーワードより後で登録されたものであるため、”バレーボール”に関する延長番組数は５０回である。各キーワードのヒット率は以下の式で算出される。
（ヒット率）  ＝  （ヒット回数）／（延長番組数）  ・・・（１）
よって、”延長”のヒット率は５０％であり、”野球”のヒット率は２０％であり、”繰り下げ”のヒット率は３０％であり、”サッカー”のヒット率は５％であり、”バレーボール”のヒット率は２％である。
【００８８】
図１４は、図１２に示すフローチャートのステップＳ５２にて行うヒット率テーブル更新処理を示すフローチャートである。ヒット率テーブルの更新処理では、まず、再生を行った番組に関して延長番組管理テーブルの中のキーワードの項目を調べ、この項目に含まれているキーワードに関して、ヒット率テーブルの中のヒット回数に１を加算する（ステップＳ６１）。次いで、全キーワードに関して、ヒット率テーブルの延長番組数に１を加算する（ステップＳ６２）。その後、上述の（１）式によりヒット率の算出を行い（ステップＳ６３）、処理を終了する。
【００８９】
本発明に係るハードディスクレコーダは、各キーワードのヒット率を表示することができるようにしてある。ユーザは、操作部２２又はリモコン５２に設けられた「設定メニュー」ボタンを押下し、表示装置５１に表示されたメニューからヒット率表示の項目を選択することで、各キーワードのヒット率を表示装置５１に表示することができる。
【００９０】
図１５は、本発明に係るハードディスクレコーダ１のキーワードのヒット率表示を行う場合に制御部１０が行う処理を示すフローチャートである。制御部１０は、ヒット率表示の項目が選択されたか否かを調べ（ステップＳ７１）、選択されていない場合は（Ｓ７１：ＮＯ）、選択されるまで待機する。
【００９１】
ヒット率表示の項目が選択された場合（Ｓ７１：ＹＥＳ）、メモリ２１の延長情報記憶部２１ｄからヒット率テーブルを読み出して（ステップＳ７２）、各キーワード毎のヒット率を得る。次いで、５つのキーワードをヒット率の大きい順に並べ替えを行い（ステップＳ７３）、ヒット率表示画面を作成してヒット率の表示命令と共に選択部１６へ与えて、表示装置５１にヒット率の表示を行う（ステップＳ７４）。
【００９２】
図１６は、本発明に係るハードディスクレコーダ１が表示するキーワードのヒット率の表示例である。５つのキーワードは、ヒット率の大きい順に上から下へ並べて表示される。このとき、最もヒット率の大きいキーワードは他のキーワードよりも太い文字で表示され、最もヒット率の小さいキーワードは他のキーワードよりも細い文字で表示される。これにより、ヒット率が大きく有効性が高いキーワードと、ヒット率が小さく有効性が低いキーワードとをユーザに対して強調して表示することができる。
【００９３】
以上の構成のハードディスクレコーダ１においては、各キーワード毎のヒット率を算出し、ユーザに対して表示することにより、ユーザはキーワードの有効性を判断することができるため、有効性の低いキーワードを変更してより有効性の高いキーワードを登録することによって、放送時間が延長される可能性がある番組をより確実に検索できる。
【００９４】
なお、本実施の形態においては、メモリ２１にＥＰＧ記憶部２１ａ、記録予約記憶部２１ｂ、キーワード記憶部２１ｃ及び延長情報記憶部２１ｄを設ける構成を示したが、これに限るものではなく、これらの記憶部のうちの一部又は全部をハードディスク１９に設ける構成であってもよい。また、記録予約の設定をＥＰＧによる番組表から番組を選択して行う構成を示したが、これに限るものではなく、ユーザが開始時刻及び終了時刻等を直接入力して記録予約の設定を行う構成であってもよい。また、キーワード記憶部２１ｃのキーワードをユーザが変更できる構成を示したが、変更できない構成であってもよい。
【００９５】
また、図５及び図６に示したフローチャートにおいて、ステップＳ１５で行う検索は、記録予約に係る番組と同じチャンネルにて放送される番組を検索対象としたが、これに限らず、全てのチャンネルに対して行ってもよい。また、延長される可能性がある番組の検索を、記録予約の設定が行われた場合に行う構成としたが、これに限るものではなく、例えば、ＥＰＧの取得を行った際に、ＥＰＧに含まれる全ての番組に対して予め行っておく構成であってもよい。
【００９６】
また、図１６に示したキーワードのヒット率の表示において、ヒット率の高いキーワードを太い文字で表示し、ヒット率の低いキーワードを細い文字で表示するとしたが、これに限るものではなく、例えば、ヒット率に応じて色分けして表示する構成であってもよく、また、ヒット率が高いキーワードを点滅して表示する構成であってもよく、その他の方法によりヒット率に応じたキーワードの強調表示を行う構成であってもよい。
【００９７】
また、本実施の形態に示す表示例は一例であって、これに限るものではない。また、本実施の形態においては、記録再生装置としてハードディスクレコーダ１を例に説明を行ったが、これに限るものではなく、他の記録再生装置、例えばビデオテープレコーダ、ＤＶＤレコーダ又はブルーレイレコーダ等であってもよく、複数の記録媒体を備える記録再生装置であってもよい。
【図面の簡単な説明】
【００９８】
【図１】本発明に係るハードディスクレコーダのハードウェア構成を示すブロック図である。
【図２】本発明に係るハードディスクレコーダのキーワード設定を行う場合に制御部が行う処理を示すフローチャートである。
【図３】本発明に係るハードディスクレコーダが表示するキーワード設定画面の表示例である。
【図４】本発明に係るハードディスクレコーダが表示するキーワード設定画面の表示例である。
【図５】本発明に係るハードディスクレコーダの記録予約の設定を行う場合に制御部が行う処理を示すフローチャートである。
【図６】本発明に係るハードディスクレコーダの記録予約の設定を行う場合に制御部が行う処理を示すフローチャートである。
【図７】本発明に係るハードディスクレコーダが表示する番組表の表示例である。
【図８】本発明に係るハードディスクレコーダが表示する延長設定画面の表示例である。
【図９】本発明に係る延長番組管理テーブルの構成を示す模式図である。
【図１０】本発明に係るハードディスクレコーダが表示する予約確認画面の表示例である。
【図１１】本発明に係るハードディスクレコーダの番組延長判定の方法を説明する説明図である。
【図１２】本発明に係るハードディスクレコーダの再生処理を行う場合に制御部が行う処理を示すフローチャートである。
【図１３】本発明に係るハードディスクレコーダのヒット率テーブルの構成を示す模式図である。
【図１４】図１２に示すフローチャートのステップＳ５２にて行うヒット率テーブル更新処理を示すフローチャートである。
【図１５】本発明に係るハードディスクレコーダのキーワードのヒット率表示を行う場合に制御部が行う処理を示すフローチャートである。
【図１６】本発明に係るハードディスクレコーダが表示するキーワードのヒット率の表示例である。
【符号の説明】
【００９９】
１  ハードディスクレコーダ
１０  制御部
１１  チューナ
１２  ＥＰＧ取得部
１３  Ｄ／Ａ変換部
１４  エンコーダ
１５  出力部
１７  Ｄ／Ａ変換部
１８  デコーダ
１９  ハードディスク
２０  ハードディスクコントローラ
２１  メモリ
２１ａ  ＥＰＧ記憶部
２１ｂ  記録予約記憶部
２１ｃ  キーワード記憶部
２１ｄ  延長情報記憶部
２２  操作部
２３  赤外線受光部
３２  入力ウインドウ
３４  延長設定ウインドウ
５１  表示装置
５２  リモコン
【図１】
2007060291.tif 000005
【図２】
2007060291.tif 000006
【図３】
2007060291.tif 000007
【図４】
2007060291.tif 000008
【図５】
2007060291.tif 000009
【図６】
2007060291.tif 000010
【図７】
2007060291.tif 000011
【図８】
2007060291.tif 000012
【図９】
2007060291.tif 000013
【図１０】
2007060291.tif 000014
【図１１】
2007060291.tif 000015
【図１２】
2007060291.tif 000016
【図１３】
2007060291.tif 000017
【図１４】
2007060291.tif 000018
【図１５】
2007060291.tif 000019
【図１６】
2007060291.tif 000020